(57)【特許請求の範囲】
【請求項１】
複数の機能部を備えた画像形成装置であって、
前記機能部の再起動を要求する再起動要求部と、
前記再起動要求部によって要求された再起動対象の前記機能部の再起動を即時実行することを禁止する条件として予め定められた禁則条件を記憶する禁則条件記憶部と、
を備え、
前記禁則条件は、所定の対象動作を示す情報と、その対象動作の中に前記要求された再起動対象の前記機能部の再起動を含むか否かを示す情報と、を含み、
前記対象動作は、当該対象動作が実行されている場合に、前記再起動要求部によって再起動対象の前記機能部の再起動が要求されたとしても、当該要求された再起動を即時実行することを禁止する動作であり、
前記再起動要求部によって前記機能部の再起動が要求された場合に、前記禁則条件記憶部に記憶されている前記禁則条件に含まれる前記対象動作が動作しており、且つ、前記対象動作に前記要求された前記機能部の再起動が含まれていないときは、前記対象動作が終了するまで、前記要求された前記機能部の再起動の実行を待機し、前記対象動作が終了すると、前記要求された前記機能部の再起動を実行する再起動制御部と、
を更に備える画像形成装置。
【請求項２】
前記再起動制御部は、
前記再起動要求部によって前記機能部の再起動が要求された場合に、前記禁則条件記憶部に記憶されている前記禁則条件に含まれる前記対象動作が動作しており、且つ、前記対象動作に前記要求された前記機能部の再起動が含まれているときは、前記要求された前記機能部の再起動の実行を禁止する請求項１に記載の画像形成装置。
【請求項３】
各種画面を表示する表示部と、
前記各機能部の動作指示を受け付ける指示受付部と、
を更に備え、
前記再起動制御部は、
前記再起動要求部によって要求された前記機能部の再起動の実行を待機させることを開始してから、その再起動の実行が終了するまでの間、再起動の処理中であることを示す画面を前記表示部に表示し続け、前記指示受付部による前記動作指示の受け付けを禁止する請求項１または２に記載の画像形成装置。
【請求項４】
前記要求された前記機能部の再起動の実行を前記再起動制御部によって終了させるキャンセル指示の入力を受け付けるキャンセル指示部を備え、
前記再起動の処理中であることを示す画面は、前記キャンセル指示部への前記キャンセル指示の入力を案内する画面である請求項３に記載の画像形成装置。
【請求項５】
各種画面を表示する表示部を更に備え、
前記再起動制御部は、
前記再起動要求部によって要求された前記機能部の再起動の実行を待機させることを開始したときに、再起動の実行を待機したことを示す画面を前記表示部に表示する請求項１または２に記載の画像形成装置。
【請求項６】
前記再起動制御部によって、前記要求された前記機能部の再起動の実行の待機を開始してから予め定められた時間が経過するまでの間に、その再起動の実行が開始されなかったときは、その再起動の実行を前記再起動制御部によって禁止させるキャンセル予約指示の入力を受け付けるキャンセル予約指示部を更に備え、
前記再起動の実行を待機したことを示す画面は、前記キャンセル予約指示部への前記キャンセル予約指示の入力を案内する画面である請求項５に記載の画像形成装置。
【請求項７】
前記再起動制御部によって、動作中の前記対象動作を強制的に終了させた後に、前記要求された前記機能部の再起動を実行させる強制実行指示の入力を受け付ける強制実行指示部を更に備え、
前記再起動の実行を待機したことを示す画面は、前記強制実行指示部への前記強制実行指示の入力を案内する画面である請求項５または６に記載の画像形成装置。
【発明の詳細な説明】
【技術分野】
【０００１】
本発明は、複数の機能部を備えた画像形成装置に関し、特に、各機能部を再起動する技術に関する。
【背景技術】
【０００２】
従来から、例えば下記特許文献１には、ネットワークから印刷用データを入手するネットワーク管理部や印刷ジョブを実行するジョブ管理部等、複数の構成要素（機能部）からなる画像形成装置であって、構成要素を再起動させることが可能な画像形成装置が記載されている。また、下記特許文献１には、構成要素の再起動が要求されたときに、当該構成要素が処理中であるときは、その処理が終了するまでの間、再起動を停止することが記載されている。
【先行技術文献】
【特許文献】
【０００３】
【特許文献１】特開２００９−７５６３５号公報
【発明の概要】
【発明が解決しようとする課題】
【０００４】
しかしながら、ある機能部の再起動が要求された場合に、複数の機能部が関連して動作しているときは、再起動対象の機能部が動作していなくても、その機能部を再起動することによって動作に影響を与える虞があるので、要求された機能部の再起動の実行を禁止する必要がある。この場合、ユーザーは、複数の機能部が関連して動作することが終了するのを待って再び再起動を要求しなければならず、例えば、機能部の再起動を遠隔操作する場合には装置の前まで出向いて動作状況を確認しなければならない等、煩わしさを感じさせる虞があった。
【０００５】
そこで、本発明は、このような事情に鑑みてなされたものであり、複数の機能部を備えた画像形成装置であって、効率よく、各機能部を再起動することができる画像形成装置を提供することを目的とする。
【課題を解決するための手段】
【０００６】
本発明に係る画像形成装置は、複数の機能部を備えた画像形成装置であって、前記機能部の再起動を要求する再起動要求部と、前記再起動要求部によって要求された再起動対象の前記機能部の再起動を即時実行することを禁止する条件として予め定められた禁則条件を記憶する禁則条件記憶部と、を備え、前記禁則条件は、所定の対象動作を示す情報と、その対象動作の中に前記要求された再起動対象の前記機能部の再起動を含むか否かを示す情報と、を含み、前記対象動作は、当該対象動作が実行されている場合に、前記再起動要求部によって再起動対象の前記機能部の再起動が要求されたとしても、当該要求された再起動を即時実行することを禁止する動作であり、前記再起動要求部によって前記機能部の再起動が要求された場合に、前記禁則条件記憶部に記憶されている前記禁則条件に含まれる前記対象動作が動作しており、且つ、前記対象動作に前記要求された前記機能部の再起動が含まれていないときは、前記対象動作が終了するまで、前記要求された前記機能部の再起動の実行を待機し、前記対象動作が終了すると、前記要求された前記機能部の再起動を実行する再起動制御部と、を更に備える。
【０００７】
この構成によれば、対象動作が終了するまで要求された機能部の再起動の実行が待機され、対象動作の終了後にその再起動が実行される。このため、ユーザーは、対象動作が終了するのを待ってから再び所望の機能部の再起動を要求することに煩わしさを感じることが回避され、効率よく、各機能部を再起動することができる。
【０００８】
また、前記再起動制御部は、前記再起動要求部によって前記機能部の再起動が要求された場合に、前記禁則条件記憶部に記憶されている前記禁則条件に含まれる前記対象動作が動作しており、且つ、前記対象動作に前記要求された前記機能部の再起動が含まれているときは、前記要求された前記機能部の再起動の実行を禁止することが好ましい。
【０００９】
要求された機能部の再起動が対象動作に含まれている場合は、対象動作が終了することによって、その要求された再起動の動作が終了するもの考えられる。この構成によれば、要求された機能部の再起動が対象動作に含まれている場合は、対象動作の終了後、要求された機能部の再起動が実行されないので、要求された機能部の再起動が２回実行されることが回避される。これによって、効率よく、要求された機能部の再起動を実行することができる。
【００１０】
また、各種画面を表示する表示部と、前記各機能部の動作指示を受け付ける指示受付部と、を更に備え、前記再起動制御部は、前記再起動要求部によって要求された前記機能部の再起動の実行を待機させることを開始してから、その再起動の実行が終了するまでの間、再起動の処理中であることを示す画面を前記表示部に表示し続け、前記指示受付部による前記動作指示の受け付けを禁止することが好ましい。
【００１１】
この構成によれば、ユーザーは、表示部に表示された画面を見て、要求した再起動が終了したか否かを一目で確認することができる。また、指示受付部によって動作指示の受け付けが禁止されるので、再起動中にその他の動作が行われることによって、再起動に失敗する虞を低減することができる。
【００１２】
また、前記要求された前記機能部の再起動の実行を前記再起動制御部によって終了させるキャンセル指示の入力を受け付けるキャンセル指示部を備え、前記再起動の処理中であることを示す画面は、前記キャンセル指示部への前記キャンセル指示の入力を案内する画面であることが好ましい。
【００１３】
この構成によれば、ユーザーは、表示部に表示された画面を見て、要求した再起動が終了したか否かを一目で確認することができるだけでなく、キャンセル指示部へのキャンセル指示の入力によって、要求した再起動の実行を任意のタイミングで終了することができる。
【００１４】
または、各種画面を表示する表示部を更に備え、前記再起動制御部は、前記再起動要求部によって要求された前記機能部の再起動の実行を待機させることを開始したときに、再起動の実行を待機したことを示す画面を前記表示部に表示することが好ましい。
【００１５】
この構成によれば、ユーザーは、表示部に表示された画面を見て、要求した再起動の実行が待機中であることを一目で確認することができる。
【００１６】
または、前記再起動制御部によって、前記要求された前記機能部の再起動の実行の待機を開始してから予め定められた時間が経過するまでの間に、その再起動の実行が開始されなかったときは、その再起動の実行を前記再起動制御部によって禁止させるキャンセル予約指示の入力を受け付けるキャンセル予約指示部を更に備え、前記再起動の実行を待機したことを示す画面は、前記キャンセル予約指示部への前記キャンセル予約指示の入力を案内する画面であることが好ましい。
【００１７】
この構成によれば、ユーザーは、表示部に表示された画面を見て、要求した再起動の実行が待機中であることを一目で確認することができるだけでなく、キャンセル予約指示部へのキャンセル予約指示の入力によって、要求された機能部の再起動の実行の待機を開始してから予め定められた時間が経過するまでの間に、その再起動の実行が開始されていないときは、その再起動の実行を禁止することができる。
【００１８】
このため、機能部の再起動を要求してから、上記の予め定められた時間が経過した後に、機能部が再起動されたことの確認作業を行うことができないユーザーにとっては、機能部の再起動を要求してから上記の予め定められた時間が経過した後に、要求した再起動の実行を禁止する作業を行う手間を省くことができて好適である。
【００１９】
また、前記再起動制御部によって、動作中の前記対象動作を強制的に終了させた後に、前記要求された前記機能部の再起動を実行させる強制実行指示の入力を受け付ける強制実行指示部を更に備え、前記再起動の実行を待機したことを示す画面は、前記強制実行指示部への前記強制実行指示の入力を案内する画面であることが好ましい。
【００２０】
この構成によれば、ユーザーは、表示部に表示された画面を見て、要求した再起動の実行が待機中であることを一目で確認することができるだけでなく、強制実行指示部への強制実行指示の入力によって、要求した機能部の再起動を強制的に実行することができる。
【発明の効果】
【００２１】
本発明によれば、複数の機能部を備えた画像形成装置であって、効率よく、各機能部を再起動することができる画像形成装置を提供することが可能になる。
【図面の簡単な説明】
【００２２】
【図１】本発明に係る画像形成装置の一例としての複合機を示す概略断面図。
【図２】複合機の電気的な構成の一例を示すブロック図。
【図３】禁則条件記憶部に記憶されている禁則条件の一例を示す説明図。
【図４】再起動の処理中であることを示す画面の一例を示す説明図。
【図５】機能部を再起動する動作の一例を示すフローチャート。
【図６】複合機の電気的な構成の図２とは別の一例を示すブロック図。
【図７】再起動の実行を待機したことを示す画面の一例を示す説明図。
【図８】機能部を再起動する動作の図５とは別の一例を示すフローチャート。
【図９】図８に示す機能部を再起動する動作において、強制実行指示及びキャンセル予約指示が入力されたときの動作の一例を示すフローチャート。
【発明を実施するための形態】
【００２３】
［第一実施形態］
以下、本発明に係る画像形成装置の一例としての複合機を図面に基づいて説明する。図１は、複合機の概略断面図である。図１に示すように、複合機（画像形成装置）１は、例えば、コピー、プリンター、及びスキャナー等の複数の機能を兼ね備える。複合機１は、本体部１００、本体部１００の上に配置された原稿読取部２００、原稿読取部２００の上に配置された原稿給送部３００、本体部１００の上部前面に配置された操作部４００、及び本体部１００の用紙搬出側、例えば左側に配置された用紙後処理部５００を備える。
【００２４】
原稿給送部３００は、原稿載置部３０１、給紙ローラー３０３、原稿搬送部３０５及び原稿排出部３０７を備える。給紙ローラー３０３は、原稿載置部３０１にセットされた原稿を１枚ずつ繰り出す。原稿搬送部３０５は、繰り出された原稿を原稿読取部２００に搬送する。原稿は、原稿読取部２００で読み取られて原稿排出部３０７に排出される。
【００２５】
原稿読取部２００は、ＣＣＤ（Charge Coupled Device）センサー及び露光ランプ等を搭載したキャリッジ２０１、ガラス等の透明部材により構成された原稿台２０３、及び原稿読取スリット２０５を備える。原稿台２０３に載置された原稿を読み取る場合、キャリッジ２０１を原稿台２０３の長手方向に移動させながらＣＣＤセンサーにより原稿を読み取る。これに対して、原稿給送部３００から給送された原稿を読み取る場合、キャリッジ２０１を原稿読取スリット２０５と対向する位置に移動させて、原稿給送部３００から送られてきた原稿を、原稿読取スリット２０５を通してＣＣＤセンサーにより読み取る。ＣＣＤセンサーは読み取った原稿を画像データとして出力する。
【００２６】
本体部１００は、用紙貯留部１０１、画像形成部１０３及び定着部１０５を備える。用紙貯留部１０１は、用紙の束を貯留することができる用紙トレイ１０７を備える。用紙トレイ１０７に貯留された用紙の束において、最上位の用紙がピックアップローラー１０９の駆動により、用紙搬送部１１１へ向けて繰り出される。用紙は用紙搬送部１１１を通って、画像形成部１０３へ搬送される。
【００２７】
画像形成部１０３は、搬送されてきた用紙に画像データを基にしてトナー画像を形成する。画像形成部１０３は、感光体ドラム１１３、露光部１１５、現像部１１７及び転写部１１９を備える。露光部１１５は、画像データ（原稿読取部２００から出力された画像データ、パソコンから送信された画像データ、ファクシミリ受信の画像データ等）に対応する光を生成し、一様に帯電された感光体ドラム１１３の周面に照射する。これにより、感光体ドラム１１３の周面には画像データに対応する静電潜像が形成される。この状態で感光体ドラム１１３の周面に現像部１１７からトナーを供給することにより、周面には画像データに対応するトナー画像が形成される。このトナー画像は、転写部１１９によって用紙貯留部１０１から搬送されてきた用紙に転写される。
【００２８】
トナー画像が転写された用紙は、定着部１０５に送られる。定着部１０５は、トナー画像と用紙に熱と圧力を加え、トナー画像を用紙に定着させる。これにより、用紙への画像の印刷が完了する。この印刷済用紙に対して後処理がされる場合、印刷済用紙は本体部１００の用紙排出口１２１から用紙後処理部５００へ送られる。これに対して後処理がされない場合、印刷済用紙は排紙トレイ１２３に排紙される。
【００２９】
用紙後処理部５００では印刷済用紙に対して、ソート、ステープル、パンチ、中綴じ等の後処理がされる。用紙後処理部５００は、用紙搬入口５０１、用紙搬送部５０３、用紙搬出口５０５及びスタックトレイ５０７等を備える。用紙搬送部５０３は、用紙排出口１２１から用紙搬入口５０１に搬入された印刷済用紙を順次搬送し、後処理がされた印刷済用紙を用紙搬出口５０５からスタックトレイ５０７へ搬出する。スタックトレイ５０７は、用紙搬出口５０５から搬出された上記用紙の集積枚数に応じて矢印方向に上下動可能な構成を有する。
【００３０】
操作部４００は、表示部４０３と操作キー部４０１とを備える。表示部４０３は、タッチパネル機能を有しており、ソフトキーを含む画面が表示される。ユーザーは、画面を見ながらソフトキーを操作することによって、コピー等の機能の実行に必要な設定入力等の入力操作をする。
【００３１】
操作キー部４０１は、ハードキーからなる操作キーを備えており、具体的にはヘルプキー４０５、スタートキー４０７、テンキー４０９及び機能切換キー４１１等を備える。ヘルプキー４０５は、ヘルプ画面を表示部４０３に表示させるキーである。ヘルプ画面とは、スキャナー、ファクシミリ、プリンター、コピー等の機能に関する操作方法が表示された画面である。スタートキー４０７は、コピー、ファクシミリ送信等の動作を開始させるキーである。テンキー４０９は、コピー部数、ファクシミリ番号等の数字を入力するキーである。機能切換キー４１１は、コピーキー及び送信キー等を備えており、コピー機能、送信機能等を相互に切り替えるキーである。コピーキーを操作すれば、コピーの初期画面が表示部４０３に表示される。送信キーを操作すれば、ファクシミリ送信及びメール送信の初期画面が表示部４０３に表示される。
【００３２】
図２は、複合機１の電気的な構成を示すブロック図である。複合機１は、上記本体部１００、上記原稿読取部２００、上記原稿給送部３００、上記操作部４００、上記用紙後処理部５００、ＵＳＢメモリー等の記憶媒体５を画像形成装置１に接続するための外部インターフェイス７００、通信部８００、及び制御部６００等の各機能部が相互に通信可能なように接続された構成になっている。
【００３３】
通信部８００は、ファクシミリ通信部８０１及びネットワークＩ／Ｆ部８０３を備える。ファクシミリ通信部８０１は、相手先ファクシミリとの電話回線の接続を制御するＮＣＵ（Network Control Unit）及びファクシミリ通信用の信号を変復調する変復調回路を備える。ファクシミリ通信部８０１は、電話回線８０５に接続される。
【００３４】
ネットワークＩ／Ｆ部８０３は、ＬＡＮ（Local Area Network）８０７に接続される。ネットワークＩ／Ｆ部８０３は、例えば、印刷対象の画像データや、当該複合機１にインストールされているファームウェアを更新するためのファームウェアや、当該複合機１を遠隔からメンテナンスするための操作コマンド等、ＬＡＮ８０７に接続されたパソコン等の端末装置との間で通信を実行するための通信インターフェイス回路である。
【００３５】
制御部６００は、例えば、ＣＰＵと、ＲＯＭやＲＡＭ等のメモリーと、を備えたマイクロコンピューターで構成されており、メモリーに記憶された各種制御プログラムをＣＰＵによって実行することによって各部の動作制御を行う。
【００３６】
制御部６００は、例えば、指示受付部６１、再起動要求部６２、禁則条件記憶部６３、再起動制御部６４、及びキャンセル指示部６５として機能する制御プログラムをＣＰＵによって実行することによって、各機能部を再起動する制御を行う。
【００３７】
指示受付部６１は、機能切換キー４１１や表示部４０３のタッチパネル機能等を用いて入力された、各機能部の動作を規定する設定情報等の入力データや各機能部の動作指示を受け付ける。例えば、指示受付部６１は、機能切換キー４１１のコピーキーが操作されることによって、表示部４０３にコピーの初期画面を表示する動作指示を受け付け、また、ユーザーによって当該画面に入力されたコピー部数等の設定情報を受け付ける。そして、指示受付部６１は、スタートキー４０７が押下されることによって、当該受け付けた設定情報を用いて、原稿読取部２００の読み取り動作や画像形成部１０３の画像形成動作を実行する動作指示を受け付ける。
【００３８】
再起動要求部６２は、各機能部の再起動を要求する。例えば、再起動要求部６２は、指示受付部６１によって、ユーザーによって入力されたネットワークＩ／Ｆ部８０３で用いるＩＰアドレス等の設定情報が受け付けられた後、当該設定情報をネットワークＩ／Ｆ部８０３に適用するために、指示受付部６１によって、ユーザーによって入力されたネットワークＩ／Ｆ部８０３の再起動を要求する指示の入力が受け付けられると、ネットワークＩ／Ｆ部８０３の再起動を要求する。
【００３９】
禁則条件記憶部６３は、例えば、ＲＯＭ等のメモリーで構成されている。禁則条件記憶部６３には、再起動要求部６２によって要求された再起動対象の機能部の再起動を即時実行することを禁止する条件として予め定められた禁則条件が記憶されている。禁則条件は、再起動要求部６２によって要求された再起動の前に実行されていてはいけない動作である対象動作を示す情報と、その対象動作の中に要求された再起動対象の機能部の再起動を含むか否かを示す情報と、を含んで構成されている。
【００４０】
図３は、禁則条件記憶部６３に記憶されている禁則条件の一例を示す説明図である。図３に示す禁則条件は、ネットワークＩ／Ｆ部８０３の再起動が要求された場合に、ネットワークＩ／Ｆ部８０３の再起動を即時実行することを禁止する条件として定められている。
【００４１】
当該禁則条件は、例えば、複合機１に備わる全機能部を再起動するシステム再起動、複合機１に備わる全機能部の動作を規定する設定情報を初期値に設定するシステム初期化、及び制御部６００のファームウェア更新が実行されている場合に、再起動要求部６２によってネットワークＩ／Ｆ部８０３の再起動が要求されたとしても、当該要求されたネットワークＩ／Ｆ部８０３の再起動を即時実行することを禁止することを示している。また、当該禁則条件は、システム再起動、システム初期化、及びファームウェア更新の動作には、ネットワークＩ／Ｆ部８０３の再起動が含まれていることを示している。
【００４２】
また、当該禁則条件は、例えば、トナーカートリッジ等の消耗品の交換や、用紙搬送用ローラー部材の交換等、各機能部のメンテナンス作業を行うときに、複合機１をメンテナンス状態に設定した場合（メンテナンスモード設定）や、サービスマンが複合機１に接続された端末装置からの遠隔操作によって、複合機１の各機能部の設定値の変更等のメンテナンス作業を行うときに複合機１をメンテナンス状態に設定した場合（サービスマンモード設定）に、再起動要求部６２によってネットワークＩ／Ｆ部８０３の再起動が要求されたとしても、当該要求されたネットワークＩ／Ｆ部８０３の再起動を即時実行することを禁止することを示している。また、当該禁則条件は、メンテナンスモード設定やサービスマンモード設定の動作には、ネットワークＩ／Ｆ部８０３の再起動が含まれていないことを示している。
【００４３】
再起動制御部６４は、再起動要求部６２によってある機能部の再起動が要求された場合に、禁則条件記憶部６３に記憶されている禁則条件に含まれる対象動作が動作しており、且つ、要求された機能部の再起動が当該対象動作に含まれていないときは、当該対象動作が終了するまで、要求された機能部の再起動の実行を待機する。そして、当該対象動作が終了すると、要求された機能部の再起動を実行する。
【００４４】
一方、再起動制御部６４は、再起動要求部６２によってある機能部の再起動が要求された場合に、禁則条件記憶部６３に記憶されている禁則条件に含まれる対象動作が動作しており、且つ、要求された機能部の再起動が当該対象動作に含まれているときは、要求された機能部の再起動の実行を禁止する。
【００４５】
また、再起動制御部６４は、再起動要求部６２によって要求された機能部の再起動の実行を待機させることを開始してから、その再起動の実行が終了するまでの間、再起動の処理中であることを示す画面を表示部４０３に表示し続け、指示受付部６１による動作指示の受け付けを禁止する。
【００４６】
キャンセル指示部６５は、再起動要求部６２によって要求されたある機能部の再起動の実行を再起動制御部６４によって終了させるキャンセル指示の入力を受け付ける。
【００４７】
図４は、上記の再起動の処理中であることを示す画面の一例を示す説明図である。例えば、図４に示すように、上記の再起動の処理中であることを示す画面には、キャンセルボタン４０４が設けられている。キャンセルボタン４０４が、表示部４０３のタッチパネル機能を用いてユーザーによって押下操作されると、キャンセル指示部６５によってキャンセル指示の入力が受け付けられる。キャンセル指示部６５によってキャンセル指示の入力が受け付けられると、再起動制御部６４は、当該処理中の再起動の実行を終了する。つまり、上記の再起動の処理中であることを示す画面は、キャンセル指示部６５へのキャンセル指示の入力を案内する画面になっている。
【００４８】
以下、機能部を再起動する動作の流れについて、図５を用いて説明する。図５は、機能部を再起動する動作の一例を示すフローチャートである。
【００４９】
図５に示すように、指示受付部６１によって、例えば、ユーザーから入力されたネットワークＩ／Ｆ部８０３の再起動の指示が受け付けられると（Ｓ１）、再起動要求部６２は、ネットワークＩ／Ｆ部８０３の再起動を要求する信号を再起動制御部６４に向けて出力する（Ｓ２）。
【００５０】
再起動制御部６４は、ネットワークＩ／Ｆ部８０３の再起動を要求する信号が入力されると、ネットワークＩ／Ｆ部８０３の再起動の処理中であることを示す画面（図４）を表示部４０３に表示し（Ｓ３）、各機能部の動作指示の受け付けを禁止する指示を示す信号を指示受付部６１に向けて出力し、これに従って、指示受付部６１は、各機能部の動作指示の受け付けを禁止する（Ｓ４）。
【００５１】
次に、再起動制御部６４は、再起動要求部６２によって要求されたネットワークＩ／Ｆ部８０３の再起動に対応する禁則条件（図３）を禁則条件記憶部６３から取得する（Ｓ５）。
【００５２】
そして、再起動制御部６４は、ステップＳ５で取得した禁則条件に含まれる対象動作が実行中の場合（Ｓ６；ＹＥＳ）、当該対象動作が終了するまでネットワークＩ／Ｆ部８０３の再起動を実行せずに待機させる（Ｓ７；ＮＯ）。
【００５３】
そして、対象動作が終了すると（Ｓ７；ＹＥＳ）、再起動制御部６４は、ステップＳ５で取得した禁則条件において、再起動要求部６２によって要求されたネットワークＩ／Ｆ部８０３の再起動が当該対象動作に含まれていない場合は（Ｓ８；ＮＯ）、再起動要求部６２によって要求されたネットワークＩ／Ｆ部８０３の再起動を実行する（Ｓ９）。そして、再起動制御部６４は、各機能部の動作指示の受け付けを禁止することを解除する指示を示す信号を指示受付部６１に向けて出力し、これに従って、指示受付部６１は、各機能部の動作指示の受け付けを禁止することを解除し、つまり、各機能部の動作指示を受け付け可能な状態に戻る（Ｓ１０）。そして、再起動制御部６４は、ステップＳ３で表示部４０３に表示したネットワークＩ／Ｆ部８０３の再起動の処理中であることを示す画面を閉じて（Ｓ１１）、機能部を再起動する動作を終了する。
【００５４】
一方、対象動作が終了した場合であっても（Ｓ７；ＹＥＳ）、再起動制御部６４は、ステップＳ５で取得した禁則条件において、再起動要求部６２によって要求されたネットワークＩ／Ｆ部８０３の再起動が当該対象動作に含まれている場合は（Ｓ８；ＹＥＳ）、再起動制御部６４は、再起動要求部６２によって要求されたネットワークＩ／Ｆ部８０３の再起動を実行せずに、そのまま、後述のステップＳ１０に移行する。
【００５５】
また、ステップＳ４の実行後、ステップＳ３で表示部４０３に表示されたネットワークＩ／Ｆ部８０３の再起動の処理中であることを示す画面（図４）のキャンセルボタン４０４がユーザーによって押下操作され、これによって、キャンセル指示部６５によって、キャンセル指示の入力が受け付けられると（Ｓ１２；ＹＥＳ）、再起動制御部６４は、ステップＳ２で再起動要求部６２によって要求されたネットワークＩ／Ｆ部８０３の再起動を終了し（Ｓ１３）、ステップＳ１０に移行する。尚、ステップＳ１２以降の処理は、ステップＳ４の実行後、ステップＳ５以降の処理と並行して行われる。
【００５６】
したがって、第一実施形態の構成によれば、対象動作が終了するまで要求された機能部の再起動の実行が待機され（Ｓ７；ＮＯ）、要求された機能部の再起動が対象動作に含まれていない場合は（Ｓ８；ＮＯ）、対象動作の終了後にその再起動が実行される（Ｓ９）。このため、ユーザーは、対象動作が終了するのを待ってから再び所望の機能部の再起動を要求することに煩わしさを感じることが回避され、効率よく、各機能部を再起動することができる。
【００５７】
また、要求された機能部の再起動が対象動作に含まれている場合は、対象動作が終了することによって、その要求された再起動の動作が終了するもの考えられる。第一実施形態の構成によれば、要求された機能部の再起動が対象動作に含まれている場合は（Ｓ８；ＹＥＳ）、対象動作の終了後（Ｓ７；ＹＥＳ）、要求された機能部の再起動が実行されないので、要求された機能部の再起動が２回実行されることが回避される。これによって、効率よく、要求された機能部の再起動を実行することができる。
【００５８】
また、第一実施形態の構成によれば、ユーザーは、ステップＳ３で表示部４０３に表示された再起動の処理中であることを示す画面を見て、要求した再起動が終了したか否かを一目で確認することができる。また、指示受付部６１によって動作指示の受け付けが禁止されるので（Ｓ４）、再起動中にその他の動作が行われることによって、その再起動に失敗する虞を低減することができる。
【００５９】
また、第一実施形態の構成によれば、ユーザーは、ステップＳ３で表示部４０３に表示された画面を見て、要求した再起動が終了したか否かを一目で確認することができるだけでなく、キャンセル指示部６５へのキャンセル指示の入力によって（Ｓ１２；ＹＥＳ）、要求した再起動の実行を任意のタイミングで終了することができる（Ｓ１３）。
【００６０】
尚、上記第一実施形態において図１乃至図５に示した構成及び設定は、単なる一例に過ぎず、これに限定する趣旨ではない。
【００６１】
例えば、キャンセル指示部６５を備えない構成とし、これに合わせて、図５に示す機能部を再起動する動作において、ステップＳ３で表示部４０３に表示される、再起動の処理中であることを示す画面（図４）にキャンセルボタン４０４を設けないように簡素化して構成し、また、ステップＳ１２及びステップＳ１３を実行しないように簡素化して構成してもよい。
【００６２】
更に、ステップＳ３、ステップＳ４，ステップＳ１０，及びステップＳ１１を実行しないように簡素化して構成してもよい。
【００６３】
更に、ステップＳ８を実行しない簡素化した構成とし、対象動作が終了すると（Ｓ７；ＹＥＳ）、再起動制御部６４は、ステップＳ５で取得した禁則条件において、ネットワークＩ／Ｆ部８０３の再起動が当該対象動作に含まれているか否かに関わらず、ステップＳ９を実行するように構成してもよい。
【００６４】
または、図５に示す機能部を部分的に再起動する動作において、ステップＳ８を実行しない簡素化した構成とし、対象動作が終了すると（Ｓ７；ＹＥＳ）、再起動制御部６４は、ステップＳ５で取得した禁則条件において、ネットワークＩ／Ｆ部８０３の再起動が当該対象動作に含まれているか否かに関わらず、ステップＳ９を実行するように構成してもよい。
【００６５】
更に、キャンセル指示部６５を備えない構成とし、これに合わせて、図５に示す機能部を部分的に再起動する動作において、ステップＳ３で表示部４０３に表示される、再起動の処理中であることを示す画面（図４）にキャンセルボタン４０４を設けないように簡素化して構成し、また、ステップＳ１２及びステップＳ１３を実行しないように簡素化して構成してもよい。
【００６６】
［第二実施形態］
以下の第二実施形態の説明では、第一実施形態とは異なる部分についてのみ詳述し、第一実施形態と同じ部分については説明を省略する。
【００６７】
図６は、複合機１の電気的な構成の図２とは別の一例を示すブロック図である。第二実施形態では、図６に示すように、制御部６００は、例えば、指示受付部６１、再起動要求部６２、禁則条件記憶部６３、再起動制御部６４、キャンセル予約指示部６６、及び強制実行指示部６７として機能する制御プログラムをＣＰＵによって実行することによって、各機能部を再起動する制御を行う。
【００６８】
再起動制御部６４は、再起動要求部６２によってある機能部の再起動が要求された場合に、禁則条件記憶部６３に記憶されている禁則条件に含まれる対象動作が動作しており、且つ、要求された機能部の再起動が当該対象動作に含まれていないときは、当該対象動作が終了するまで、要求された機能部の再起動の実行を待機する。そして、当該対象動作が終了すると、要求された機能部の再起動を実行する。
【００６９】
一方、再起動制御部６４は、再起動要求部６２によってある機能部の再起動が要求された場合に、禁則条件記憶部６３に記憶されている禁則条件に含まれる対象動作が動作しており、且つ、要求された機能部の再起動が当該対象動作に含まれているときは、要求された機能部の再起動の実行を禁止する。
【００７０】
また、再起動制御部６４は、再起動要求部６２によって要求された機能部の再起動の実行を待機させることを開始したときに、再起動の実行を待機したことを示す画面を表示部４０３に表示する。
【００７１】
キャンセル予約指示部６６は、再起動制御部６４によって、要求された機能部の再起動の実行の待機を開始してから、予め定められた時間が経過するまでの間に、その再起動の実行が開始されなかったときは、その再起動の実行を再起動制御部６４によって禁止させるキャンセル予約指示の入力を受け付ける。
【００７２】
強制実行指示部６７は、再起動制御部６４によって、動作中の対象動作を強制的に終了させた後に、要求された機能部の再起動を実行させる強制実行指示の入力を受け付ける。
【００７３】
図７は、上記の再起動の実行を待機したことを示す画面の一例を示す説明図である。例えば、図７に示すように、表示部４０３の上部には、上記の再起動の実行を待機したことを示す画面が表示され、表示部４０３の下部には、各機能部の動作指示を入力操作するためのソフトキー等が表示される。上記の再起動の実行を待機したことを示す画面には、強制実行ボタン４０６と、キャンセル予約ボタン４０８と、が設けられている。
【００７４】
強制実行ボタン４０６が、表示部４０３のタッチパネル機能を用いてユーザーによって押下操作されると、強制実行指示部６７によって強制実行指示の入力が受け付けられる。強制実行指示部６７によって強制実行指示の入力が受け付けられると、再起動制御部６４は、動作中の対象動作を強制的に終了した後に、待機中である要求された機能部の再起動を実行する。つまり、上記の再起動の実行を待機したことを示す画面は、強制実行指示部６７への強制実行指示の入力を案内する画面になっている。
【００７５】
また、キャンセル予約ボタン４０８が、表示部４０３のタッチパネル機能を用いてユーザーによって押下操作されると、キャンセル予約指示部６６によってキャンセル予約指示の入力が受け付けられる。キャンセル予約指示部６６によってキャンセル予約指示の入力が受け付けられると、再起動制御部６４は、要求された機能部の再起動の実行の待機を開始してから、予め定められた時間が経過するまでの間に、その再起動の実行が開始されなかったときは、その再起動の実行を禁止する。つまり、上記の再起動の実行を待機したことを示す画面は、キャンセル予約指示部６６へのキャンセル予約指示の入力を案内する画面になっている。尚、再起動制御部６４は、キャンセル予約ボタン４０８に、要求された機能部の再起動の実行の待機を開始してから予め定められた時間が経過するまでの残り時間を表示する。
【００７６】
以下、第二実施形態の構成において、機能部を再起動する動作の流れについて、図８及び図９を用いて説明する。図８は、第二実施形態の構成において、機能部を再起動する動作の一例を示すフローチャートである。図９は、図８に示す機能部を再起動する動作において、強制実行指示及びキャンセル予約指示が入力されたときの動作の一例を示すフローチャートである。
【００７７】
図８に示すように、ステップＳ２の実行後、再起動制御部６４は、ネットワークＩ／Ｆ部８０３の再起動を要求する信号が入力されると、図７に示すように、ネットワークＩ／Ｆ部８０３の再起動の実行を待機したことを示す画面を表示部４０３の上部に表示し（Ｓ２１）、各機能部の動作指示の受け付けを禁止する指示を示す信号を指示受付部６１に向けて出力することなく、ステップＳ５を実行する。
【００７８】
また、対象動作が終了し（Ｓ７；ＹＥＳ）、ステップＳ５で取得した禁則条件において、ネットワークＩ／Ｆ部８０３の再起動が当該対象動作に含まれている場合（Ｓ８；ＹＥＳ）、または、ステップＳ９の実行後、再起動制御部６４は、ステップＳ２１で表示部４０３に表示したネットワークＩ／Ｆ部８０３の再起動の実行を待機したことを示す画面を閉じて（Ｓ２２）、機能部を再起動する動作を終了する。
【００７９】
また、図９に示すように、ステップＳ２１（図８）の実行後、ステップＳ２１で表示部４０３に表示されたネットワークＩ／Ｆ部８０３の再起動の実行を待機したことを示す画面（図７）の強制実行ボタン４０６がユーザーによって押下操作され、これによって、強制実行指示部６７によって強制実行指示の入力が受け付けられると（Ｓ２３；ＹＥＳ）、再起動制御部６４は、再起動要求部６２によって要求されたネットワークＩ／Ｆ部８０３の再起動に対応する禁則条件を禁則条件記憶部６３から取得する（Ｓ２４）。
【００８０】
そして、ステップＳ２４で取得した禁則条件に含まれる対象動作が実行中の場合は（Ｓ２５；ＹＥＳ）、再起動制御部６４は、当該実行中の対象動作を強制的に終了した後（Ｓ２６）、再起動要求部６２によって要求されたネットワークＩ／Ｆ部８０３の再起動を実行する（Ｓ２７）。一方、ステップＳ２４で取得した禁則条件に含まれる対象動作が実行されていない場合（Ｓ２５；ＮＯ）、再起動制御部６４は、再起動要求部６２によって要求されたネットワークＩ／Ｆ部８０３の再起動を実行する（Ｓ２７）。そして、ステップＳ２７の実行後、再起動制御部６４は、ステップ２２（図８）に移行する。尚、ステップＳ２３以降の処理は、ステップＳ２１の実行後、ステップＳ５以降の処理と並行して行われる。
【００８１】
また、図９に示すように、ステップＳ２１（図８）を開始してから、つまり、再起動要求部６２によって要求されたネットワークＩ／Ｆ部８０３の再起動の待機を開始してから、予め定められた時間（所定時間）が経過していない場合（Ｓ２８；ＮＯ）、再起動制御部６４は、キャンセル予約ボタン４０８に、再起動要求部６２によって要求されたネットワークＩ／Ｆ部８０３の再起動の待機を開始してから、予め定められた時間が経過するまでの残り時間を表示する（Ｓ２９）。
【００８２】
そして、ステップＳ２１で表示部４０３に表示されたネットワークＩ／Ｆ部８０３の再起動の実行を待機したことを示す画面（図７）のキャンセル予約ボタン４０８がユーザーによって押下操作され、これによって、キャンセル予約指示部６６によってキャンセル予約指示の入力が受け付けられると（Ｓ３０；ＹＥＳ）、再起動制御部６４は、ステップＳ２１（図８）を開始してから、つまり、再起動要求部６２によって要求されたネットワークＩ／Ｆ部８０３の再起動の待機を開始してから、予め定められた時間が経過するまで待機する（Ｓ３１；ＮＯ）。そして、予め定められた時間が経過した場合に（Ｓ３１；ＹＥＳ）、再起動要求部６２によって要求されたネットワークＩ／Ｆ部８０３の再起動の実行を待機中であるときは（Ｓ３２；ＹＥＳ）、ステップＳ２（図８）で再起動要求部６２によって要求されたネットワークＩ／Ｆ部８０３の再起動を実行することなくそのまま終了し、これによって、再起動要求部６２によって要求されたネットワークＩ／Ｆ部８０３の再起動の実行を禁止する（Ｓ３３）。
【００８３】
尚、再起動要求部６２によって要求されたネットワークＩ／Ｆ部８０３の再起動の待機を開始してから、キャンセル予約指示部６６によってキャンセル予約指示の入力が受け付けられないまま（Ｓ３０；ＮＯ）、予め定められた時間が経過したときは（Ｓ２８；ＹＥＳ）、再起動制御部６４は、キャンセル予約ボタン４０８を押下操作できないように表示する等して、キャンセル予約指示部６６によるキャンセル予約指示の入力の受け付けを終了する。
【００８４】
したがって、第二実施形態の構成によれば、ユーザーは、ステップＳ２１で表示部４０３に表示された再起動の実行を待機したことを示す画面を見て、要求した再起動の実行が待機中であることを一目で確認することができる。
【００８５】
また、第二実施形態の構成によれば、ユーザーは、ステップＳ２１で表示部４０３に表示された画面を見て、要求した再起動の実行が待機中であることを一目で確認することができるだけでなく、キャンセル予約指示部６６へのキャンセル予約指示の入力によって（Ｓ３０；ＹＥＳ）、要求された機能部の再起動の実行の待機を開始してから予め定められた時間が経過するまでの間に、その再起動の実行が開始されていないときは（Ｓ３１；ＹＥＳ，Ｓ３２；ＹＥＳ）、その再起動の実行を禁止する（Ｓ３３）ことができる。
【００８６】
このため、機能部の再起動を要求してから、上記の予め定められた時間が経過した後に、機能部が再起動されたことの確認作業を行うことができないユーザーにとっては、機能部の再起動を要求してから上記の予め定められた時間が経過した後に、要求した再起動の実行を禁止する作業を行う手間を省くことができて好適である。
【００８７】
また、第二実施形態の構成によれば、ユーザーは、ステップＳ２１で表示部４０３に表示された画面を見て、要求した再起動の実行が待機中であることを一目で確認することができるだけでなく、強制実行指示部６７への強制実行指示の入力によって（Ｓ２３；ＹＥＳ）、要求した機能部の再起動を強制的に実行する（Ｓ２７）ことができる。
【００８８】
尚、上記第二実施形態において図６乃至図９に示した構成及び設定は、単なる一例に過ぎず、これに限定する趣旨ではない。
【００８９】
例えば、強制実行指示部６７を備えない構成とし、これに合わせて、図８に示す機能部を再起動する動作において、ステップＳ２１で表示部４０３に表示される、再起動の実行を待機したことを示す画面（図７）に強制実行ボタン４０６を設けないように簡素化して構成し、また、図９に示す、ステップＳ２３、ステップＳ２４、ステップＳ２５、ステップＳ２６、及びステップＳ２７を実行しないように簡素化して構成してもよい。
【００９０】
または、キャンセル予約指示部６６を備えない構成とし、これに合わせて、図８に示す機能部を部分的に再起動する動作において、ステップＳ２１で表示部４０３に表示される、再起動の実行を待機したことを示す画面（図７）にキャンセル予約ボタン４０８を設けないように簡素化して構成し、また、図９に示す、ステップＳ２８、ステップＳ２９、ステップＳ３０、ステップＳ３１、ステップＳ３２、及びステップＳ３３を実行しないように簡素化して構成してもよい。
【００９１】
または、強制実行指示部６７及びキャンセル予約指示部６６を備えない構成とし、これに合わせて、図８に示す機能部を部分的に再起動する動作において、ステップＳ２１で表示部４０３に表示される、再起動の実行を待機したことを示す画面（図７）に、強制実行ボタン４０６及びキャンセル予約ボタン４０８を設けないように簡素化して構成し、図９に示す、ステップＳ２３からステップＳ３３を実行しないように簡素化して構成してもよい。
【００９２】
尚、上記実施形態においては、本発明に係る画像形成装置の一例として複合機を例に説明したが、本発明は、プリンター、コピー機、スキャナー、或いはＦＡＸ等の画像形成装置にも適用可能である。
【符号の説明】
【００９３】
１      複合機（画像形成装置）
４０３  表示部
４０６  強制実行ボタン
４０８  キャンセル予約ボタン
６００  制御部
６１    指示受付部
６２    再起動要求部
６３    禁則条件記憶部
６４    再起動制御部
６５    キャンセル指示部
６６    キャンセル予約指示部
６７    強制実行指示部
８０３  ネットワークＩ／Ｆ部
【図１】
0005802543.tif 000002
【図２】
0005802543.tif 000003
【図３】
0005802543.tif 000004
【図４】
0005802543.tif 000005
【図５】
0005802543.tif 000006
【図６】
0005802543.tif 000007
【図７】
0005802543.tif 000008
【図８】
0005802543.tif 000009
【図９】
0005802543.tif 000010